(57)【要約】      （修正有）【課題】フロントウインドガラスだけではなく、フロントサイドミラー及びフロントサイドドアをも一体にカバーでき、しかもウインドガラスに対する取り付け乃至取り外しが簡単に行える自動車用ウインドカバーを提供する。【解決手段】自動車のウインドガラスを覆うためのウインドカバーであって、自動車のフロントウインドガラス全面及びルーフの前端部を被った状態でその左右両端部がフロントサイドウインドガラスを被うことの出来る長さのカバー本体からなり、カバー本体の左右両端部には、サイドミラーを被い包むための袋部２と、長さ方向一端側にフック部材３０が取り付けられた紐部材３を連結するための連結部４が設けられ、紐部材は伸縮可能であり、またカバー本体１は、断熱性及び防水性を備えた素材から形成されている。【選択図】図５
0003135275.tif 000002
【実用新案登録請求の範囲】
【請求項１】
自動車のウインドガラスを覆うためのウインドカバーであって、自動車のフロントウインドガラス全面及びルーフの前端部を被った状態でその左右両端部がフロントサイドウインドガラスを被うことの出来る長さのカバー本体からなり、カバー本体の左右両端部には、サイドミラーを被い包むための袋部と、長さ方向一端側にフック部材が取り付けられた紐部材を連結するための連結部が設けられていることを特徴とする自動車用ウインドカバー。
【請求項２】
紐部材が伸縮可能であることを特長とする請求項１に記載の自動車用ウインドカバー。
【請求項３】
カバー本体が、断熱性及び防水性を備えた素材から形成されていることを特徴とする請求項１または２に記載の自動車用ウインドカバー。
【考案の詳細な説明】
【技術分野】
【０００１】
本考案は、自動車のウインドガラスに取り付けて、霜などの付着を防止するウインドカバーに関する。
【背景技術】
【０００２】
一般にこの種のウインドカバーは、例えば、実開平 ４−８９４１６号公報にも示されているように、フロントウインドガラスの全面を覆う布製のカバー本体と、このカバー本体の左右両側に取り付けた帯状の面ファスナー部材から構成されている。
【０００３】
そして以上のウインドカバーを使用する場合には、先ずカバー本体でフロントウインドガラスの外面を覆うと共に、フロントサイドドアを開けた状態で、カバー本体の両端部を車室内に巻き込み、面ファスナーを介してカバー本体の両端部を社室内において連結した上で、フロントサイドドアを閉じることで、ウインドカバーを車に取り付けるようにしている。
【０００４】
ところで以上のウインドカバーでは、フロントウインドガラスへの取り付けに際して、フロントサイドドアを開け閉めする必要があり、全体としてウインドガラスへの取り付けまたは取り外し作業が煩雑となる。
【０００５】
また以上のウインドカバーでは、フロントウインドガラスのみしか覆うことが出来ず、自動車のサイドミラーやフロンサイドドアへの霜の付着を防止することが出来ない。
【考案の開示】
【考案が解決しようとする課題】
【０００６】
本考案は以上の実情に鑑みて開発されてものであって、目的とするところは、フロントウインドガラスだけではなく、フロントサイドミラー及びフロントサイドドアをも一体にカバーでき、しかもウインドガラスに対する取り付け乃至取り外しが簡単に行なえる自動車用ウインドカバーを提供することにある。
【課題を解決するための手段】
【０００７】
前記した目的を達成するために、請求項１に記載の考案は、自動車のウインドガラスを覆うためのウインドカバーであって、自動車のフロントウインドガラス全面及びルーフの前端部を被った状態でその左右両端部がフロントサイドウインドガラスを被うことの出来る長さのカバー本体からなり、カバー本体の左右両端部には、サイドミラーを被い包むための袋部と、長さ方向一端側にフック部材が取り付けられた紐部材を連結するための連結部が設けられていることを特徴とする。
【０００８】
請求項２に記載の発明は、請求項１に記載のウインドカバーにおいて、紐部材が伸縮可能であることを特長とする。
【０００９】
請求項３に記載の発明は、請求項１または２に記載のウインドカバーにおいて、カバー本体が、断熱性及び防水性を備えた素材から形成されていることを特徴とする。
【考案の効果】
【００１０】
請求項１に記載の考案によれば、自動車のフロントウインドガラス全面及びルーフの前端部を被った状態でその左右両端部がフロントサイドウインドガラスを被うことの出来る長さのカバー本体からなり、カバー本体の左右両端部には、サイドミラーを被い包むための袋部と、長さ方向一端側にフック部材が取り付けられた紐部材を連結するための連結部が設けられていることにより、自動車のフロントウインドガラスのみならずフロントサイドウインドガラスとサイドミラーを一体的に被うことが出来、これらフロントウインドガラス、フロントサイドミラー、フロントサイドウインドガラスを霜や雪あるいは凍結から確実に保護することが出来る。
【００１１】
しかも連結部に連結する紐部材のフック部材を自動車の適当な箇所に引っ掛けるだけで、カバー本体を自動車に容易に装着することが出来、従来のようにサイドドアを開け閉めする必要がない。
【００１２】
請求項２に記載の考案によれば、紐部材が伸縮可能であることにより、請求項１に記載の考案の効果に加え、自動車のウインドへの装着時、紐部材の伸縮性によりカバー本体をウインドガラスなどに密着させて、カバーが風などでばたつくのを防ぐことが出来る。
【００１３】
請求項３に記載の考案によれば、請求項１または２に記載のウインドカバーにおいて、カバー本体が、断熱性及び防水性を備えた素材から形成されていることにより、請求項１または２に記載の考案の効果に加え、自動車のウインドなどを霜や雪などからより一層確実に保護することが出来る。
【考案を実施するための最良の形態】
【００１４】
以下、本考案の実施形態について図面を参照しながら説明する。
【００１５】
先ず、図１は本考案にかかるウインドカバーの一実施形態を示す正面図、図２は同じくウインドカバーの一実施形態を示す背面図、図３は同、要部の拡大正面図である。
【００１６】
図において符号１で示すカバー本体は、断熱性及び耐候性に優れたポリエステル繊維性のシートから形成され、表面は銀色に着色されると共に防水加工が施されている。
【００１７】
そしてこのカバー本体１は、主として自動車ＣのフロントウインドガラスＦＧ及び左右のフロントサイドウインドガラスＳＧを覆うためのものであって、フロントウインドガラスＦＧ及びこのフロントウインドガラスＦＧに連続するルーフＲの前端部に被せた状態からその両端部が左右のフロントサイドウインドガラスＳＧを被える程度の横長とした略長方形に形成されている。
【００１８】
また前述のカバー本体１の左右両端部には、自動車のサイドミラーＳＭを被い包むための袋部２が設けられている。
【００１９】
この袋部２は、カバー本体１の左右両端部に開設された挿通孔１０に連続して逢着され、カバー本体１の裏面側から袋部２内にフロントサイドミラーＳＭを挿入できるようにしている。
【００２０】
またカバー本体１の左右両端部には、長さ方向一端側にフック部材３０が取り付けられた紐部材３を連結するための連結部４が設けられている。
【００２１】
連結部４は、短冊状の布片の長さ方向両端部をカバー本体１の端部に逢着して形成されており、この連結部４はカバー本体１の左右両端部にそれぞれ２箇所設けられている。
【００２２】
この連結部４に結び止められる紐部材３は、既存のゴム紐が用いられており、この紐部材３の長さ方向一端にフック部材３０が結び止められている。
【００２３】
またフック部材３０は、金属製の線材を略Ｓ字状に屈曲させて形成されている。
【００２４】
以上の構成からなるウインドカバーにより自動車のウインドガラスを被うには、先ず、カバー本体１をフロントウインドガラスＦＧ上に広げて、このカバー本体１でフロントウインドガラスＦＧを被うと共にその上部をルーフＲの前端部に被せる。
【００２５】
続いてカバー本体１の左右両端部に設けた袋部２内にフロントサイドミラーＳＭを挿入すると共に、カバー本体１の左右両端部で、自動車の左右のフロントサイドウインドガラスＳＧを被う。
【００２６】
しかる後、紐部材３を引き伸ばして、その先端に結束したフック部材３０を自動車の例えばフロア下面に突出する突起などに適宜引っ掛けると、紐部材の伸縮性によりカバー本体１が、フロントウインドガラスＦＧ、ルーフＲ、フロントサイドウインドガラスＳＧに密着するので、カバーが風などで不用意にばたつくのが防止される。
【００２７】
斯くして、フロントウインドガラスＦＧだけではなく、フロントサイドミラーＳＭ及びフロントサイドウインドガラスＳＧがウインドカバーで一体に被われこととなり、フロントウインドガラスＦＧ、フロントサイドミラー、フロントサイドウインドガラスＳＧを霜や雪あるいは凍結から保護することが出来る。
【００２８】
また以上のウインドカバーを取り外す場合には、従来のようにフロントサイドドアを開け閉めしなくとも、フック部材３０を取り外すだけで即座にウインドカバーを自動車から取り外すことが出来る。
【図面の簡単な説明】
【００２９】
【図１】本考案にかかるウインドカバーの一実施形態を示す正面図。
【図２】同、背面図。
【図３】同、要部を拡大して示す正面図。
【図４】ウインドカバーを取り付ける前の自動車の説明図。
【図５】ウインドカバーを取り付けた自動車の説明図。
【符号の説明】
【００３０】
１       カバー本体
１０     挿通孔
２       袋部
３       紐部材
３０     フック部材
４       連結部材
ＦＧ     フロントウインドガラス
ＳＧ     フロントサイドウインドガラス
ＳＭ     フロントサイドミラー
Ｒ       ルーフ
【図１】
0003135275.tif 000003
【図２】
0003135275.tif 000004
【図３】
0003135275.tif 000005
【図４】
0003135275.tif 000006
【図５】
0003135275.tif 000007